(57)【特許請求の範囲】
【請求項１】
複数の基地局装置と、周波数が連続した複数の無線リソースを用いて前記基地局装置と無線通信を行う端末装置とを具備する通信システムにおける無線リソース割当装置であって、
前記基地局装置ごとに、前記複数の無線リソースから隣接する前記基地局装置と異なる無線リソースを選択し、選択した無線リソースを、セルエッジに位置する前記端末装置に対して割り当てるセルエッジ帯域にする開始ポイント選択部と、
前記基地局装置ごとに、基地局装置のセルエッジに位置する前記端末装置に対して割り当てる無線リソースの数である割当数を算出する帯域数算出部と、
前記基地局装置ごとに、前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加部と
を備えることを特徴とする無線リソース割当装置。
【請求項２】
前記帯域数算出部は、更に、
セルエッジに位置する前記端末装置であるセルエッジ端末が送信したデータ量から該セルエッジ端末の平均伝送効率を算出するとともに、セルエッジに位置しない前記端末装置である非セルエッジ端末が送信したデータ量から該非セルエッジ端末の平均伝送効率を算出し、算出した前記セルエッジ端末及び前記非セルエッジ端末の平均伝送効率、及び、前記セルエッジ端末の数と該非セルエッジ端末の数との比に基づいて、前記セルエッジ端末の平均伝送効率と、前記非セルエッジ端末の平均伝送効率とが等しくなるように前記割当数を算出する
ことを特徴とする請求項１に記載の無線リソース割当装置。
【請求項３】
前記帯域数算出部は、更に、
前記セルエッジ端末が送信したデータ量から前記セルエッジ端末が今後送信するデータ量の推定値を算出するとともに、前記非セルエッジ端末が送信したデータ量から前記非セルエッジ端末が今後送信するデータ量の推定値を算出し、
算出した前記セルエッジ端末及び前記非セルエッジ端末のデータ量の推定値に基づいて、前記セルエッジ端末の平均伝送効率と、前記非セルエッジ端末の平均伝送効率とが等しくなるように前記割当数を算出する
ことを特徴とする請求項２に記載の無線リソース割当装置。
【請求項４】
前記帯域数算出部は、更に、
前記セルエッジ端末の数と、前記非セルエッジ端末の数との比に基づいて前記割当数を算出する
ことを特徴とする請求項１に記載の無線リソース割当装置。
【請求項５】
前記開始ポイント選択部は、更に、
隣接する前記基地局装置のセル間における干渉を示す干渉情報を隣接する基地局装置から受信し、受信した干渉情報に基づいて、前記複数の無線リソースのうち、隣接するセルから受ける干渉が最も少ない無線リソースを選択し、選択した無線リソースを前記セルエッジ帯域にする
ことを特徴とする請求項１から請求項４のいずれか一項に記載の無線リソース割当装置。
【請求項６】
前記開始ポイント選択部は、更に、
隣接する前記基地局装置のセル間における干渉を示す干渉情報を隣接する基地局装置から受信し、受信した干渉情報に基づいて、前記複数の無線リソースにおいて、隣接するセルから受ける干渉が所定の干渉量より少ない無線リソースのうち、連続する無線リソース数が最も多い区間の無線リソースを選択し、選択した無線リソースを前記セルエッジ帯域にする
ことを特徴とする請求項１から請求項４のいずれか一項に記載の無線リソース割当装置。
【請求項７】
前記開始ポイント選択部は、更に、
前記基地局装置ごとに予め割り当てられている識別子と、予め定められた関数とに基づいて、前記複数の無線リソースのうち、隣接する前記基地局装置において選択される無線リソースと異なる無線リソースを選択し、選択した無線リソースを前記セルエッジ帯域にする
ことを特徴とする請求項１から請求項４のいずれか一項に記載の無線リソース割当装置。
【請求項８】
前記追加部は、更に、
隣接する前記基地局装置のセル間における干渉を示す干渉情報を隣接する前記基地局装置から受信し、受信した干渉情報に基づいて、前記セルエッジ帯域に隣接している無線リソースのうち、前記セルエッジ端末が隣接するセルから受ける干渉が少ない無線リソースを選択し、選択した無線リソースを前記セルエッジ帯域に追加する
ことを特徴とする請求項１から請求項７のいずれか一項に記載の無線リソース割当装置。
【請求項９】
前記追加部は、更に、
前記セルエッジ帯域に隣接している無線リソースのうち、前記開始ポイント選択部が選択した無線リソースとの周波数の差が小さい無線リソースを選択する
ことを特徴とする請求項１から請求項７のいずれか一項に記載の無線リソース割当装置。
【請求項１０】
前記干渉情報は、隣接する基地局装置において前記セルエッジ端末に割り当てられている無線リソースを示す過干渉情報と、隣接する基地局装置のセル間で前記端末装置が他のセルから干渉を受けていることを示す過負荷情報とのいずれか一方、あるいは両方を含む
ことを特徴とする請求項５、請求項６、及び請求項８のいずれか一項に記載の無線リソース割当装置。
【請求項１１】
複数の基地局装置と、周波数が連続した複数の無線リソースを用いて前記基地局装置と無線通信を行う端末装置とを具備する通信システムにおける基地局装置であって、
前記複数の無線リソースから隣接する基地局装置と異なる無線リソースを選択し、選択した無線リソースを、セルエッジに位置する前記端末装置に対して割り当てるセルエッジ帯域にする開始ポイント選択部と、
セルエッジに位置する前記端末装置に対して割り当てる無線リソースの数である割当数を算出する帯域数算出部と、
前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加部と
を備えることを特徴とする基地局装置。
【請求項１２】
複数の基地局装置と、周波数が連続した複数の無線リソースを用いて前記基地局装置と無線通信を行う端末装置とを具備する通信システムにおける無線リソース割当方法であって、
前記複数の無線リソースから隣接する基地局装置と異なる無線リソースを選択し、選択した無線リソースを、セルエッジに位置する前記端末装置に対して割り当てるセルエッジ帯域にする開始ポイント選択ステップと、
セルエッジに位置する前記端末装置に対して割り当てる無線リソースの数である割当数を算出する帯域数算出ステップと、
前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加ステップと
を有することを特徴とする無線リソース割当方法。
【請求項１３】
複数の基地局装置と、周波数が連続した複数の無線リソースを用いて前記基地局装置と無線通信を行う端末装置とを具備する通信システムにおける基地局装置が有するコンピュータに
前記複数の無線リソースから隣接する基地局装置と異なる無線リソースを選択し、選択した無線リソースを、セルエッジに位置する前記端末装置に対して割り当てるセルエッジ帯域にする開始ポイント選択ステップと、
セルエッジに位置する前記端末装置に対して割り当てる無線リソースの数である割当数を算出する帯域数算出ステップと、
前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加ステップと
を実行させる無線リソース割当プログラム。
【発明の詳細な説明】
【技術分野】
【０００１】
本発明は、無線リソース割当装置、基地局装置、無線リソース割当方法、及び無線リソース割当プログラムに関する。
【背景技術】
【０００２】
日本国内の移動通信システムでは、Ｗ−ＣＤＭＡ及びＣＤＭＡ２０００に代表される第３世代移動通信システムが普及している。第３世代移動通信システムの高度化、及びその次世代システムとして、３ＧＰＰ（Third Generation Partnership Project）の標準規格の一つである「ＬＴＥ（Long Term Evolution）」が知られている（非特許文献１）。
ＬＴＥにおいて、端末装置から基地局装置への上りリンクでは、シングルキャリア周波数分割多重アクセス（Single-Carrier Frequency Division Multiple Access；ＳＣ−ＦＤＭＡ）方式が使用される。ＳＣ−ＦＤＭＡ方式は、端末装置ごとに異なる周波数帯域を用いてシングルキャリア伝送を行う方式であり、送信電力の変動が少なく、上りリンクのデータ伝送に適している。
【０００３】
また、ＬＴＥでは、リソースブロック（Resource Block；ＲＢ）と呼ばれる単位の無線リソースを端末装置に割り当てることで、データ伝送を行う。上りリンクで使用されるＳＣ−ＦＤＭＡ方式では、ＲＢを端末装置に割り当てる際に、連続するＲＢを一の端末装置に割り当てることで、シングルキャリア伝送を実現している。
基地局装置は、予め決められた基準に従い、端末装置ごとに異なるＲＢ、若しくは連続する複数のＲＢを割り当てるスケジューリングを行うことで、複数の端末装置が並行してデータを伝送できるようにしている。
【０００４】
広帯域移動通信システムでは、端末装置と基地局装置との間の伝搬路特性がＲＢ（周波数）によって異なることがあるため、上記スケジューリングを行う際、ＲＢごとに、伝搬路特性が良い端末装置をＲＢに割り当てるようにスケジューリング（周波数スケジューリング）を行うことで、高い周波数利用効率を達成できるようにしている。
広帯域移動通信システムにおいて、適用されているセルラ方式では、隣接するセルの基地局装置と、当該基地局装置と通信をする端末装置とから送信される信号で生じる干渉（隣接セル干渉）により、セル境界に位置する端末装置の受信品質の劣化が問題となっている。
【０００５】
これに対して、端末装置の伝搬路特性に応じて、端末装置を複数グループに分割し、特定のグループに属する端末装置の干渉を回避することを目的とした、干渉制御技術が複数検討されている。
例えば、隣接するセル同士の境界近傍（セルエッジ）に位置する端末装置（セルエッジ端末）をグループ化し、当該グループに属する端末装置が使用するＲＢ（無線リソース）を重複しないように割り当てることで、隣接セルからの干渉を低減させ、受信品質を改善するＦＦＲ（Fractional Frequency Reuse）がある（非特許文献２）。
【０００６】
図７は、ＦＦＲの概念の一例を表す図である。同図に示すように、ＲＢを周波数方向に３分割し、セル１の基地局装置が周波数帯域Ｆ１をセルエッジ帯域にし、周波数帯域Ｆ１を用いてセルエッジ端末にＲＢの割り当てを行う。同様に、セル２の基地局装置が周波数帯域Ｆ２をセルエッジ帯域にし、周波数帯域Ｆ２を用いてセルエッジ端末にＲＢの割り当てを行う。また、セル３の基地局装置が周波数帯域Ｆ３をセルエッジ帯域にし、周波数帯域Ｆ３を用いてセルエッジ端末にＲＢの割り当てを行う。
【０００７】
このように、セルエッジ端末に対する周波数帯域の割り当てを制限することにより、各セルのセルエッジ帯域は重複することなくセルエッジ端末に対するＲＢの割り当てを行うことができる。
また、基地局装置の近傍に位置する端末装置、すなわち、セルエッジに位置していない端末装置が、隣接するセルにおけるセルエッジ帯域を利用する場合、送信信号の電力を低下させ、隣接するセルへの干渉を抑えることにより、スループットの改善を図ることができる。
【０００８】
ところで、ＦＦＲは、セルエッジ帯域を固定で設定する静的ＦＦＲ（Static ＦＦＲ）と、セルエッジ帯域を動的に設定する動的ＦＦＲ（Dynamic ＦＦＲ）に分類される。静的ＦＦＲは、制御が容易であるものの、端末装置の移動や、トラヒックの変動等により変化する隣接セル干渉に追従できない欠点がある。動的ＦＦＲは、隣接セルから受ける干渉等に応じた制御を行うため制御が複雑になるが、現在の隣接セル干渉に応じたセルエッジ帯域を設定することが可能である。
【０００９】
実環境のネットワーク運用を想定する場合、隣接セル干渉の変化に追従し、動的にセルエッジ帯域を制御することが望ましい。これに対し、隣接セル間でグループを形成し、グループ化されたセルの間で、バックボーンネットワークを介して隣接セル干渉を示す情報を交換し、得られた情報を元にセルエッジ帯域を設定することが検討されている（特許文献１、２）
【００１０】
例えば、ＬＴＥにおいて、過負荷指標（Overload Indicator；ＯＩ）や、過干渉指標（High Interference Indicator；ＨＩＩ）と呼ばれる干渉を示す干渉情報を、Ｘ２回線と呼ばれる基地局装置を相互に接続するバックボーンネットワークを介して当該グループ内の基地局装置に送信し、また同グループ内の基地局装置から受信した干渉情報を集計処理し、干渉の回避を実現することが検討されている。
【先行技術文献】
【特許文献】
【００１１】
【特許文献１】特開２００９−１５２８２６号公報
【特許文献２】特表２０１０−５０８７７９号公報
【非特許文献】
【００１２】
【非特許文献１】3GPP TR(Technical Report)25.814, "Physical layer aspect for evolved Universal Terrestrial Radio Access (UTRA)",2006-10
【非特許文献２】WiMAX Forum, "Mobile WiMAX - Part I: A Technical Overview and Performance Evaluation", 2006-08
【発明の概要】
【発明が解決しようとする課題】
【００１３】
ＦＦＲのように、セルエッジ端末に対してセルごとに、周波数帯域が異なるＲＢを割り当てる干渉制御技術を、ＳＣ−ＦＤＭＡ方式が採用されているＬＴＥ上りリンクに適用する場合、周波数帯域が連続したＲＢを割り当てる必要がある。このとき、周波数帯域が不連続なＲＢをセルエッジ帯域にしてしまうと、周波数スケジューリングを行う際に、各端末装置に周波数が連続したＲＢを割り当てることが制限され、十分なスループットを確保できずにスループットが劣化する可能性がある。
【００１４】
ところで、隣接セルの基地局装置から送信される干渉情報は、例えば、基地局装置と端末装置との間の伝搬路特性や、基地局装置のセルにおけるセルエッジ端末に対する周波数スケジューリングの結果を元に、基地局装置ごとに独立に生成される。また、基地局装置では、複数ある隣接セルのそれぞれ独立に生成された干渉情報を元にセルエッジ帯域を決定する。この場合、干渉情報に基づいて、干渉が検出された周波数帯域を、セルエッジ帯域に割り当てないようにすると、不連続なＲＢがセルエッジ帯域と設定される可能性が高くなる。そのため、各端末装置が要求するＲＢ数を端末装置に割り当てられなくなり、すべての端末装置のスループットが劣化する可能性がある。上記の特許文献１、２や、非特許文献１、２には、このような課題を考慮したセルエッジ帯域の決定方法については検討されていない。
【００１５】
本発明は、上記課題を解決すべくなされたもので、その目的は、隣接セル干渉が生じる可能性を低減させつつ、周波数が連続する無線リソースをセルエッジ帯域として割り当てることができる無線リソース割当装置、基地局装置、無線リソース割当方法、及び無線リソース割当プログラムを提供することにある。
【課題を解決するための手段】
【００１６】
［１］上記課題を解決するために、本発明は、複数の基地局装置と、周波数が連続した複数の無線リソースを用いて前記基地局装置と無線通信を行う端末装置とを具備する通信システムにおける無線リソース割当装置であって、前記基地局装置ごとに、前記複数の無線リソースから隣接する前記基地局装置と異なる無線リソースを選択し、選択した無線リソースを、セルエッジに位置する前記端末装置に対して割り当てるセルエッジ帯域にする開始ポイント選択部と、前記基地局装置ごとに、基地局装置のセルエッジに位置する前記端末装置に対して割り当てる無線リソースの数である割当数を算出する帯域数算出部と、前記基地局装置ごとに、前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加部とを備えることを特徴とする無線リソース割当装置である。
【００１７】
［２］また、本発明は、上記に記載の発明において、前記帯域数算出部は、更に、セルエッジに位置する前記端末装置であるセルエッジ端末が送信したデータ量から該セルエッジ端末の平均伝送効率を算出するとともに、セルエッジに位置しない前記端末装置である非セルエッジ端末が送信したデータ量から該非セルエッジ端末の平均伝送効率を算出し、算出した前記セルエッジ端末及び前記非セルエッジ端末の平均伝送効率、及び、前記セルエッジ端末の数と該非セルエッジ端末の数との比に基づいて、前記セルエッジ端末の平均伝送効率と、前記非セルエッジ端末の平均伝送効率とが等しくなるように前記割当数を算出することを特徴とする。
［３］また、本発明は、上記に記載の発明において、前記帯域数算出部は、更に、前記セルエッジ端末が送信したデータ量から前記セルエッジ端末が今後送信するデータ量の推定値を算出するとともに、前記非セルエッジ端末が送信したデータ量から前記非セルエッジ端末が今後送信するデータ量の推定値を算出し、算出した前記セルエッジ端末及び前記非セルエッジ端末のデータ量の推定値に基づいて、前記セルエッジ端末の平均伝送効率と、前記非セルエッジ端末の平均伝送効率とが等しくなるように前記割当数を算出することを特徴とする。
［４］また、本発明は、上記に記載の発明において、前記帯域数算出部は、更に、前記セルエッジ端末の数と、前記非セルエッジ端末の数との比に基づいて前記割当数を算出することを特徴とする。
【００１８】
［５］また、本発明は、上記に記載の発明において、前記開始ポイント選択部は、更に、隣接する前記基地局装置のセル間における干渉を示す干渉情報を隣接する基地局装置から受信し、受信した干渉情報に基づいて、前記複数の無線リソースのうち、隣接するセルから受ける干渉が最も少ない無線リソースを選択し、選択した無線リソースを前記セルエッジ帯域にすることを特徴とする。
［６］また、本発明は、上記に記載の発明において、前記開始ポイント選択部は、更に、隣接する前記基地局装置のセル間における干渉を示す干渉情報を隣接する基地局装置から受信し、受信した干渉情報に基づいて、前記複数の無線リソースにおいて、隣接するセルから受ける干渉が所定の干渉量より少ない無線リソースのうち、連続する無線リソース数が最も多い区間の無線リソースを選択し、選択した無線リソースを前記セルエッジ帯域にすることを特徴とする。
［７］また、本発明は、上記に記載の発明において、前記開始ポイント選択部は、更に、前記基地局装置ごとに予め割り当てられている識別子と、予め定められた関数とに基づいて、前記複数の無線リソースのうち、隣接する前記基地局装置において選択される無線リソースと異なる無線リソースを選択し、選択した無線リソースを前記セルエッジ帯域にすることを特徴とする。
【００１９】
［８］また、本発明は、上記に記載の発明において、前記追加部は、更に、隣接する前記基地局装置のセル間における干渉を示す干渉情報を隣接する前記基地局装置から受信し、受信した干渉情報に基づいて、前記セルエッジ帯域に隣接している無線リソースのうち、前記セルエッジ端末が隣接するセルから受ける干渉が少ない無線リソースを選択し、選択した無線リソースを前記セルエッジ帯域に追加することを特徴とする。
［９］また、本発明は、上記に記載の発明において、前記追加部は、更に、前記セルエッジ帯域に隣接している無線リソースのうち、前記開始ポイント選択部が選択した無線リソースとの周波数の差が小さい無線リソースを選択することを特徴とする。
【００２０】
［１０］また、本発明は、上記に記載の発明において、前記干渉情報は、隣接する基地局装置において前記セルエッジ端末に割り当てられている無線リソースを示す過干渉情報と、隣接する基地局装置のセル間で前記端末装置が他のセルから干渉を受けていることを示す過負荷情報とのいずれか一方、あるいは両方を含むことを特徴とする。
【００２１】
［１１］また、本発明は、複数の基地局装置と、周波数が連続した複数の無線リソースを用いて前記基地局装置と無線通信を行う端末装置とを具備する通信システムにおける基地局装置であって、前記複数の無線リソースから隣接する基地局装置と異なる無線リソースを選択し、選択した無線リソースを、セルエッジに位置する前記端末装置に対して割り当てるセルエッジ帯域にする開始ポイント選択部と、セルエッジに位置する前記端末装置に対して割り当てる無線リソースの数である割当数を算出する帯域数算出部と、前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加部とを備えることを特徴とする基地局装置である。
【００２２】
［１２］また、本発明は、複数の基地局装置と、周波数が連続した複数の無線リソースを用いて前記基地局装置と無線通信を行う端末装置とを具備する通信システムにおける無線リソース割当方法であって、前記複数の無線リソースから隣接する基地局装置と異なる無線リソースを選択し、選択した無線リソースを、セルエッジに位置する前記端末装置に対して割り当てるセルエッジ帯域にする開始ポイント選択ステップと、セルエッジに位置する前記端末装置に対して割り当てる無線リソースの数である割当数を算出する帯域数算出ステップと、前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加ステップとを有することを特徴とする無線リソース割当方法である。
【００２３】
［１３］また、本発明は、複数の基地局装置と、周波数が連続した複数の無線リソースを用いて前記基地局装置と無線通信を行う端末装置とを具備する通信システムにおける基地局装置が有するコンピュータに前記複数の無線リソースから隣接する基地局装置と異なる無線リソースを選択し、選択した無線リソースを、セルエッジに位置する前記端末装置に対して割り当てるセルエッジ帯域にする開始ポイント選択ステップと、セルエッジに位置する前記端末装置に対して割り当てる無線リソースの数である割当数を算出する帯域数算出ステップと、前記セルエッジ帯域の高周波側に隣接する無線リソースと、前記セルエッジ帯域の低周波側に隣接する無線リソースとのいずれかを選択し、選択した無線リソースを前記セルエッジ帯域に追加する処理を、前記セルエッジ帯域の無線リソースの数が前記割当数に達するまで繰り返し行う追加ステップとを実行させる無線リソース割当プログラムである。
【発明の効果】
【００２４】
この発明によれば、隣接する基地局装置では、周波数の異なる無線リソースを起点としてセルエッジ帯域が形成されるので、隣接する基地局装置において、セルエッジ帯域が重複する可能性を低減しつつ、周波数が連続する無線リソースをセルエッジ帯域に割り当てることができる。その結果、隣接セル干渉が生じる可能性を低減させつつ、セルエッジに位置する端末装置に連続した無線リソースを割り当てることが容易になり、セルエッジに位置する端末装置のスループットを改善することができる。
【図面の簡単な説明】
【００２５】
【図１】第１実施形態における移動通信システム１００の構成例を示す概略図である。
【図２】同実施形態における基地局装置１の構成を示す概略ブロック図である。
【図３】同実施形態における無線リソース割当部１４がセルエッジ帯域を決定する手順を示すフローチャートである。
【図４】第２実施形態における基地局装置２の構成を示す概略ブロック図である。
【図５】同実施形態における無線リソース割当部２４がセルエッジ帯域を決定する手順を示すフローチャートである。
【図６】第２実施形態の開始ポイント選択部２４４に対する変形例における処理の概要を示す図である。
【図７】ＦＦＲの概念の一例を表す図である。
【発明を実施するための形態】
【００２６】
以下、図面を参照して、本発明の実施形態における無線リソース割当装置、基地局装置、無線リソース割当方法、及び無線リソース割当プログラムを説明する。
【００２７】
（第１実施形態）
図１は、第１実施形態における移動通信システム１００の構成例を示す概略図である。同図に示すように、移動通信システム１００は、複数の基地局装置１と、基地局装置１と無線通信を行う端末装置６と、複数の基地局装置１を接続するバックボーンネットワーク７とを具備している。ここで、本実施形態の移動通信システム１００は、ＬＴＥの標準規格を適用した無線通信を行い、端末装置６から基地局装置１への上りリンクの無線通信は、ＳＣ−ＯＦＤＭ方式を用いる場合について説明する。
【００２８】
移動通信システム１００は、各基地局装置１それぞれがカバーする通信エリア（セル）１Ａ内の端末装置６に対して無線リソースの割り当てをするとともに、割り当てた無線リソースを使用して端末装置６から送信された情報を受信する。また、各基地局装置１は、バックボーンネットワーク７を介し、隣接する基地局装置１と、相互に情報を送受信する。また、端末装置６は、自装置と無線通信をしている基地局装置１との間における伝搬路特性をリソースブロック（Resource Block；ＲＢ）ごとに示す伝搬路情報と、隣接するセルから受信する受信電力をＲＢごとに示す干渉測定情報とを当該基地局装置１に送信する。この伝搬路情報は、例えば、基地局装置１から送信されるパイロット信号などに基づいて推定された伝搬路特性を示す情報である。
【００２９】
ここで、リソースブロック（ＲＢ）は、移動通信システム１００に割り当てられた周波数帯域（システム帯域）を周波数方向及び時間方向に分割した無線リソースであり、無線リソースを端末装置６に割り当てる際の最小単位である。また、ＲＢには、それぞれを識別するために、例えば、周波数の低いＲＢから順にＩＤ（０，１，２，３，…）が割り当てられている。
【００３０】
図２は、本実施形態における基地局装置１の構成を示す概略ブロック図である。同図に示すように、基地局装置１は、バックボーン送受信部１１、無線送受信部１２、アンテナ１３、及び無線リソース割当部１４を備えている。
バックボーン送受信部１１は、バックボーンネットワーク７を介して、他の基地局装置１と情報の送受信を行う。バックボーン送受信部１１は、例えば、他の基地局装置１と無線通信をしている端末装置６宛ての情報を、自装置と無線通信をしている端末装置６から受信すると、バックボーンネットワーク７を介して、当該情報を当該基地局装置１に送信する。
【００３１】
無線送受信部１２は、無線リソース割当部１４から入力される無線リソース割当情報に基づいて、自装置のセル内に位置する端末装置６とアンテナ１３を介して無線通信を行う。ここで、無線リソース割当情報は、端末装置６それぞれに割り当てられたＲＢを示す情報である。また、無線送受信部１２は、端末装置６から受信する干渉測定情報を、無線リソース割当部１４に出力する。ここで、干渉測定情報は、端末装置６において、隣接するセルの端末装置６から受ける干渉の度合いを示す情報であり、例えば、隣接するセルの端末装置６から受信する信号の受信電力を示す情報である。
【００３２】
無線リソース割当部１４は、セルエッジ帯域記憶部１４１、初期化部１４２、開始ポイント選択部１４３、比較指標算出部１４４、端末判定部１４５、帯域数算出部１４６、リソースブロック追加部１４７、及びリソースブロック割当部１４８を有している。
セルエッジ帯域記憶部１４１には、システム帯域に含まれるＲＢごとに、隣接するセルとの境界近傍（セルエッジ）に位置する端末装置６に割り当てられるセルエッジ帯域であるか否かを示す情報がＲＢのＩＤに対応付けられて記憶されている。
初期化部１４２は、セルエッジ帯域記憶部１４１に記憶されているＲＢのＩＤに対応付けられているすべての情報を、ＲＢがセルエッジ帯域でないことを示す情報に変更する初期化を行う。
【００３３】
開始ポイント選択部１４３は、基地局装置１ごとに予め割り当てられている自装置を識別するためのＩＤ、例えば、ＬＴＥであればＰＣＩ（Physical Cell Identifier；物理セル識別子）を用いて、隣接する基地局装置１と異なるＲＢを開始ポイントに選択する。具体的には、開始ポイント選択部１４３は、自装置のＩＤ又はＰＣＩの剰余値や、予め定められた関数に自装置のＩＤ又はＰＣＩを代入して得られる数値により識別されるＲＢを選択する。このとき、隣接する基地局装置１において選択されるＲＢは、それぞれが周波数方向に離れているようにする。
【００３４】
比較指標算出部１４４は、開始ポイント選択部１４３が選択したＲＢ（開始ポイント）のＩＤと、各ＲＢのＩＤとの差を、セルエッジ帯域を決定する際に用いる指標であるメトリックＭ（ｉ）として算出する。具体的には、比較指標算出部１４４は、開始ポイント選択部１４３が選択したＲＢのＩＤをＩstartとし、ｉ（＝０，１，２，３，…）番目のＲＢのＩＤをＩ（ｉ）とした場合、次式（１）を用いてメトリックＭ（ｉ）を算出する。
【００３５】
【数１】
0005509054.tif 000002
【００３６】
端末判定部１４５は、自装置と無線通信をしている端末装置６から受信する干渉測定情報に基づいて、自装置と無線通信をしている端末装置６を、セルエッジに位置する端末装置６と、自装置のセル内のうちセルエッジ以外に位置する端末装置６との２つのグループに分ける判定を行う。具体的には、端末判定部１４５は、干渉測定情報が予め定めた閾値より大きい場合、当該干渉測定情報を送信した端末装置６をセルエッジに位置すると判定し、干渉測定情報が閾値以下の場合、当該端末装置６をセルエッジに位置しないと判定する。以下、セルエッジに位置する端末装置６をセルエッジ端末といい、セルエッジに位置しない端末装置６を非セルエッジ端末という。
【００３７】
帯域数算出部１４６は、端末判定部１４５の判定結果に基づいて、セルエッジに位置する端末装置６に割り当てられるＲＢであるセルエッジ帯域のＲＢ数を算出する。具体的には、帯域数算出部１４６は、自装置と無線通信をしている端末装置６の数に対するセルエッジに位置する端末装置６の数の比から、次式（２）を用いてセルエッジ帯域に割り当てられるＲＢ数である割当数Ｘを算出する。
【００３８】
【数２】
0005509054.tif 000003
【００３９】
ここで、ＮＲＢは、システム帯域において、制御信号などを送信する帯域を除いた端末装置６に割り当て可能なＲＢ数を示す。
リソースブロック追加部１４７は、開始ポイント選択部１４３が選択したＲＢを起点として、セルエッジ帯域に割り当てるＲＢ数が割当数Ｘに達するまで、比較指標算出部１４４が算出するメトリックＭ（ｉ）に基づいてＲＢをセルエッジ帯域に追加する。また、リソースブロック追加部１４７は、ＲＢをセルエッジ帯域に追加すると、追加したＲＢがセルエッジ帯域であることを示す情報をセルエッジ帯域記憶部１４１に記憶させる。
【００４０】
リソースブロック割当部１４８は、セルエッジ帯域記憶部１４１に記憶されている情報と、端末判定部１４５の判定結果と、無線送受信部１２から入力される干渉測定情報とに基づいて、セルエッジ端末に対して干渉の少ないセルエッジ帯域のＲＢを順に割り当てる。またリソースブロック割当部１４８は、非セルエッジ端末に対してシステム帯域のうちセルエッジ帯域以外のＲＢで干渉の少ないＲＢを順に割り当てる。また、リソースブロック割当部１４８は、各端末装置６に割り当てたＲＢを示す無線リソース割当情報を無線送受信部１２に出力する。
【００４１】
図３は、本実施形態における無線リソース割当部１４がセルエッジ帯域を決定する手順を示すフローチャートである。
無線リソース割当部１４において、セルエッジ帯域の決定が開始されると、端末判定部１４５は、自装置と無線通信しているすべての端末装置６が、セルエッジ端末と、非セルエッジ端末とのいずれであるかを判定する(ステップＳ１)。
初期化部１４２は、セルエッジ帯域記憶部１４１に記憶されているＲＢのＩＤに対応付けられているすべての情報を、セルエッジ帯域でないことを示す情報に変更する初期化を行う（ステップＳ３）。
【００４２】
帯域数算出部１４６は、セルエッジ帯域にする割当数Ｘを算出し（ステップＳ５）、算出した割当数Ｘが「０」であるか否かの判定をする（ステップＳ７）。
ステップＳ７において、割当数Ｘが「０」である場合（ステップＳ７：ＮＯ）、無線リソース割当部１４は、セルエッジ帯域を決定する処理を終了する（エンド）。すなわち、すべてのＲＢが、非セルエッジ端末に割り当てられることになる。
【００４３】
一方、ステップＳ７において、割当数Ｘが「０」でない場合（ステップＳ７：ＹＥＳ）、開始ポイント選択部１４３は、開始ポイントとなるＲＢを選択し、選択したＲＢのＩＤを比較指標算出部１４４及びリソースブロック追加部１４７に出力する（ステップＳ９）。このとき、リソースブロック追加部１４７は、セルエッジ帯域記憶部１４１に記憶されている情報のうち、入力されたＲＢのＩＤに対応する情報を、セルエッジ帯域であることを示す情報に変更する（ステップＳ１１）。すなわち、開始ポイントに選択されたＲＢをセルエッジ帯域にする。
比較指標算出部１４４は、入力されたＲＢのＩＤに基づいて、各ＲＢｉのメトリックＭ（ｉ）（ＩＤ：ｉ＝０，１，２，３，…）を算出する（ステップＳ１３）。
【００４４】
リソースブロック追加部１４７は、セルエッジ帯域記憶部１４１に記憶されている情報を読み出し、セルエッジ帯域であるＲＢの数が割当数Ｘより小さいか否かを判定し（ステップＳ１５）、セルエッジ帯域であるＲＢの数が割当数Ｘより小さくない場合（ステップＳ１５：ＮＯ）、セルエッジ帯域を決定する処理を終了する（エンド）。
一方、リソースブロック追加部１４７は、セルエッジ帯域であるＲＢの数が割当数Ｘより小さい場合（ステップＳ１５：ＹＥＳ）、セルエッジ帯域の周波数の高い側に隣接しセルエッジ帯域でないＲＢｓのメトリックＭ（ｓ）と、セルエッジ帯域の周波数の低い側に隣接しセルエッジ帯域出ないＲＢｔのメトリックＭ（ｔ）とを比較する（ステップＳ１７）。
【００４５】
リソースブロック追加部１４７は、メトリックＭ（ｓ）、Ｍ（ｔ）を比較した２つのＲＢｓ、ＲＢｔのうち、メトリックが小さいＲＢを選択し、セルエッジ帯域記憶部１４１に記憶されている情報のうち、選択したＲＢのＩＤに対応する情報を、セルエッジ帯域であることを示す情報に変更して、当該ＲＢをセルエッジ帯域に追加する（ステップＳ１９）。換言すると、リソースブロック追加部１４７は、開始ポイントに選択されたＲＢと周波数の差が少ないＲＢを選択してセルエッジ帯域に追加する。
続いて、リソースブロック追加部１４７は、ステップＳ１９の後に、ステップＳ１５に処理を戻し、セルエッジ帯域のＲＢ数が割当数Ｘに達するまで、ステップＳ１５〜Ｓ１９の処理を繰り返し行う。
【００４６】
上述のように、無線リソース割当部１４は、隣接する基地局装置１において、周波数の異なるＲＢ（無線リソース）を開始ポイントに選択するとともに、開始ポイントに選択したＲＢをセルエッジ帯域にする。そして、無線リソース割当部１４は、選択した開始ポイントのＲＢを起点にして、当該ＲＢと周波数方向に隣接するＲＢのうち、周波数差が少ないＲＢを順次追加して、セルエッジ帯域のＲＢ数が、割当数Ｘに達するまでＲＢの追加を行う。
このように、開始ポイント選択部１４３が隣接する基地局装置１において、周波数の異なるＲＢを開始ポイントに選択することにより、隣接する基地局装置１におけるセルエッジ帯域のＲＢが重複する可能性を低減しつつ、連続したＲＢをセルエッジ帯域にすることができる。その結果、セルエッジ端末に対して連続したＲＢを割り当てることが容易になり、セルエッジ端末のスループットを改善することができる。更に、セルエッジ帯域を１つの連続したＲＢにすることにより、非セルエッジ端末に連続したＲＢを割り当てることが容易になるので、非セルエッジ端末のスループットを改善することができ、周波数利用効率を向上させることができる。
【００４７】
（第２実施形態）
第２実施形態における移動通信システムは、基地局装置の構成が第１実施形態の基地局装置１と異なる。ここでは、第２実施形態の基地局装置の説明をし、第１実施形態と同じ構成の端末装置６及びバックボーンネットワーク７に対する説明を省略する。
【００４８】
図４は、第２実施形態における基地局装置２の構成を示す概略ブロック図である。同図に示すように基地局装置２は、バックボーン送受信部２１、無線送受信部２２、アンテナ１３、無線リソース割当部２４、及び干渉情報生成部２５を備えている。
バックボーン送受信部２１は、第１実施形態のバックボーン送受信部２１が行う処理に加えて、干渉情報生成部２５から入力される干渉情報を隣接する基地局装置２にバックボーンネットワーク７を介して送信する。また、バックボーン送受信部２１は、バックボーンネットワーク７を介して、隣接する基地局装置２から干渉情報を受信し、受信した干渉情報を無線リソース割当部２４に出力する。
【００４９】
ここで、干渉情報は、ＲＢごとに、隣接するセル間における干渉を示す情報であり、隣接するセルから干渉を受けていることを示す過負荷指標（Overload Indicator；ＯＩ）と、隣接するセルとの境界近傍の領域（セルエッジ）に位置する端末装置６に当該ＲＢを割り当てていることを示す過干渉指標（High Interference Indicator；ＨＩＩ）とを含んでいる。
【００５０】
過負荷指標の取り得る値は、例えば、「０」又は「１」であり、「０」がＲＢにおいて干渉を受けていないことを示し、「１」がＲＢにおいて干渉を受けていることを示す。また、過干渉指標の取り得る値は、例えば、「０」又は「１」であり、「０」がＲＢをセルエッジ端末に割り当てていないことを示し、「１」がＲＢをセルエッジ端末に割り当てていることを示す。なお、過負荷指標及び過干渉指標は、上述のように２値の情報に限らず、多値の情報であってもよく、過負荷指標は受けている干渉量に応じて値を選択するようにしてもよい。また、過干渉指標はセルエッジに位置する端末装置６にＲＢを割り当てる確率に応じて値を選択するようにしてもよい。
また、隣接するセルとの境界近傍とは、例えば、隣接するセルから受信する信号の受信電力が予め定められた電力値より大きくなる領域である。
【００５１】
無線送受信部２２は、第１実施形態の無線送受信部１２と同様に、無線リソース割当部２４から入力される無線リソース割当情報に基づいて、自装置のセル内に位置する端末装置６とアンテナ１３を介して無線通信を行う。また、無線送受信部２２は、端末装置６から受信する干渉測定情報を、無線リソース割当部２４及び干渉情報生成部２５に出力する。また、無線送受信部２２は、自装置と無線通信をしている端末装置６から受信するデータ量を所定の期間（例えば、サブフレーム）ごとに測定し、測定した各端末装置６のデータ量を示す伝送量情報を無線リソース割当部２４に出力する。
【００５２】
無線リソース割当部２４は、セルエッジ帯域記憶部１４１、初期化部１４２、統計情報算出部２４３、開始ポイント選択部２４４、端末判定部１４５、帯域数算出部２４６、リソースブロック追加部２４７、及びリソースブロック割当部１４８を有している。ここで、無線リソース割当部２４において、第１実施形態と同じ構成に対しては、同じ符号を付して、その説明を省略する。
統計情報算出部２４３は、バックボーン送受信部２１から入力される干渉情報に含まれる過負荷指標及び過干渉指標に対する統計値（平均値、最頻値など）をＲＢごとに算出し、ＲＢごとの統計値である隣接セル干渉情報を開始ポイント選択部２４４及びリソースブロック追加部２４７に出力する。具体的には、統計情報算出部２４３は、例えば、隣接する基地局装置２から受信する干渉情報に含まれる過負荷指標又は過干渉指標いずれか一方の値をＲＢごとに平均し、ＲＢごとの平均値を隣接セル干渉情報にする。
【００５３】
開始ポイント選択部２４４は、統計情報算出部２４３から入力される隣接セル干渉情報に基づいて、システム帯域のＲＢからいずれか一つのＲＢを開始ポイントに選択する。開始ポイント選択部２４４は、隣接セル干渉情報に含まれる各ＲＢの統計値、及び次式（３）を用いて、各ＲＢｉ（ＩＤ：ｉ＝０，１，２，３，…）に対する開始ポイント値Ｓ（ｉ）を算出する。
【００５４】
【数３】
0005509054.tif 000004
【００５５】
ここで、ｗ（ｊ）はＲＢｊ（ＩＤ：ｊ＝０，１，２，３，…）に対する重み係数である。ｓ（ｊ）はＲＢｊ（ＩＤ：ｊ＝０，１，２，３，…）の過負荷指標又は過干渉指標のいずれかの統計値である。また、ｘは予め定められた値を用いてもよいし、帯域数算出部２４６が算出する割当数Ｘの半分の値としてもよい。
例えば、ｗ（ｊ）＝１とし、ｓ（ｊ）を過負荷指標の統計値とした場合、開始ポイント値Ｓ（ｉ）は、隣接するセルにおいて、ＲＢｉにおける干渉を受けている度合いを示していることになる。また、ｗ（ｊ）＝１とし、ｓ（ｊ）を過干渉指標の統計値とした場合、開始ポイント値Ｓ（ｉ）は、隣接するセルにおいて、ＲＢｉをセルエッジ端末に割り当てている度合いを示していることになる。したがって、開始ポイント値Ｓ（ｉ）の値が大きいＲＢｉは、セルエッジ端末に割り当てると干渉を生じさせる可能性が高いことになる。そこで、開始ポイント選択部２４４は、開始ポイント値Ｓ（ｉ）が最小のＲＢｉを、セルエッジ帯域を決定する際の開始ポイント（起点）に選択する。
【００５６】
帯域数算出部２４６は、無線送受信部２２から入力される伝送量情報と、端末判定部１４５の判定結果とに基づいて、自装置と無線通信をしている各端末装置６の伝送効率を等しくするように、セルエッジ帯域に割り当てるＲＢ数である割当数Ｘを算出する。具体的には、帯域数算出部２４６は、自装置と無線通信をしている端末装置６ごとに、時間ΔＴ前から現在までの期間における平均伝送効率を算出する。ここで、時間ΔＴは、予め定められた時間である。また、平均伝送効率は、端末装置６に割り当てられたＲＢと、当該ＲＢを用いた通信における変調符号化方式（Modulation and Coding Scheme；ＭＣＳ）とを用いて算出するようにしてもよい。
そして、帯域数算出部２４６は、算出した各端末装置６の平均伝送効率と、端末判定部１４５の判定結果とを次式（４）に代入して、セルエッジ帯域に割り当てる割当数Ｘを算出する。
【００５７】
【数４】
0005509054.tif 000005
【００５８】
ここで、Ｃｅｄｇｅは端末判定部１４５がセルエッジに位置すると判定した端末装置６（セルエッジ端末）の集合であり、Ｎｅｄｇｅはセルエッジ端末の数であり、Ｎｎｏｎ−ｅｄｇｅは非セルエッジ端末の数であり、Ｒｉは端末装置６（ｉ）それぞれの平均伝送効率であり、ＮＲＢはシステム帯域において、制御信号などを送信する帯域を除いた端末装置６に割り当て可能なＲＢ数である。なお、Ｃｅｄｇｅ、Ｎｅｄｇｅ、Ｎｎｏｎ−ｅｄｇｅは、端末判定部１４５の判定結果より得られる。
このように、帯域数算出部２４６は、セルエッジ端末のグループと、非セルエッジ端末のグループとの平均伝送効率に基づいて、自装置と無線通信をしているセルエッジ端末の平均伝送効率と、非セルエッジ端末の平均伝送効率とが等しくなるように、セルエッジ帯域に割り当てる割当数Ｘを算出する。
【００５９】
リソースブロック追加部２４７は、開始ポイント選択部２４４が選択した開始ポイント（ＲＢ）を起点として、セルエッジ帯域に割り当てるＲＢ数が割当数Ｘに達するまで、統計情報算出部２４３が算出し隣接セル干渉情報に基づいて、セルエッジ帯域に周波数方向に隣接するＲＢをセルエッジ帯域に順に追加する。また、リソースブロック追加部２４７は、ＲＢをセルエッジ帯域に追加すると、追加したＲＢがセルエッジ帯域であることを示す情報をセルエッジ帯域記憶部１４１に記憶させる。
【００６０】
干渉情報生成部２５は、無線送受信部２２から入力される伝搬路情報及び干渉測定情報と、リソースブロック割当部１４８から入力される無線リソース割当情報とに基づいて、干渉情報を生成し、生成した干渉情報をバックボーン送受信部２１に出力する。例えば、干渉情報生成部２５は、ＲＢごとに、干渉測定情報の示す値が予め定めた干渉閾値より大きい場合、ＯＩを「１」とし、干渉閾値以下の場合、ＯＩを「０」にする。また、干渉情報生成部２５は、無線リソース割当情報に基づいて、ＲＢごとに、セルエッジ帯域に割り当てられている場合、ＨＩＩを「１」にし、割り当てられていない場合、ＨＩＩを「０」にする。ここで、干渉閾値は、シミュレーションや、実測値などに基づいて、予め定められる値である。
【００６１】
図５は、本実施形態における無線リソース割当部２４がセルエッジ帯域を決定する手順を示すフローチャートである。
無線リソース割当部２４において、セルエッジ帯域の決定が開始されると、端末判定部１４５は、自装置と無線通信しているすべての端末装置６が、セルエッジ端末と、非セルエッジ端末とのいずれであるかを判定する(ステップＳ２１)。
【００６２】
初期化部１４２は、セルエッジ帯域記憶部１４１に記憶されているＲＢのＩＤに対応付けられているすべての情報を、セルエッジ帯域でないことを示す情報に変更する初期化を行う（ステップＳ２３）。
帯域数算出部２４６は、セルエッジ帯域にする割当数Ｘを算出し（ステップＳ２５）、算出した割当数Ｘが「０」であるか否かの判定する（ステップＳ２７）。
ステップＳ２７において、割当数Ｘが「０」である場合（ステップＳ２７：ＮＯ）、無線リソース割当部２４は、セルエッジ帯域を決定する処理を終了する（エンド）。すなわち、すべてのＲＢが、非セルエッジ端末に割り当てられることになる。
【００６３】
一方、ステップＳ２７において、割当数Ｘが「０」でない場合（ステップＳ２７：ＹＥＳ）、統計情報算出部２４３は、入力された干渉情報に基づいて、隣接セル干渉情報を算出し、算出した隣接セル干渉情報を開始ポイント選択部２４４及びリソースブロック追加部２４７に出力する（ステップＳ２９）。
開始ポイント選択部２４４は、入力された隣接セル干渉情報に基づいて、開始ポイントとなるＲＢを選択し、選択した開始ポイントを示すＲＢのＩＤをリソースブロック追加部２４７に出力する（ステップＳ３１）。このとき、リソースブロック追加部２４７は、セルエッジ帯域記憶部１４１に記憶されている情報のうち、入力されたＲＢのＩＤに対応する情報を、セルエッジ帯域であることを示す情報に変更する（ステップＳ３３）。
【００６４】
リソースブロック追加部２４７は、セルエッジ帯域記憶部１４１に記憶されている情報を読み出し、セルエッジ帯域であるＲＢの数が割当数Ｘより小さいか否かを判定し（ステップＳ３５）、セルエッジ帯域であるＲＢの数が割当数Ｘより小さくない場合（ステップＳ３５：ＮＯ）、セルエッジ帯域を決定する処理を終了する（エンド）。
一方、リソースブロック追加部２４７は、セルエッジ帯域であるＲＢの数が割当数Ｘより小さい場合（ステップＳ３５：ＹＥＳ）、隣接セル干渉情報に含まれる統計値のうち、セルエッジ帯域の周波数の高い側に隣接しセルエッジ帯域でないＲＢの統計値と、セルエッジ帯域の周波数の低い側に隣接しセルエッジ帯域でないＲＢの統計値とを比較する（ステップＳ３７）。
【００６５】
リソースブロック追加部２４７は、統計値の小さいＲＢを選択し、セルエッジ帯域記憶部１４１に記憶されている情報のうち、選択したＲＢのＩＤに対応する情報を、セルエッジ帯域であることを示す情報に変更して、当該ＲＢをセルエッジ帯域に追加する（ステップＳ３９）。換言すると、リソースブロック追加部２４７は、セルエッジ帯域に隣接するＲＢのうち、隣接するセルと干渉する可能性の低いＲＢを選択してセルエッジ帯域に追加する。
続いて、リソースブロック追加部２４７は、ステップＳ３９の後に、ステップＳ３５に処理を戻し、セルエッジ帯域のＲＢ数が割当数Ｘに達するまで、ステップＳ３５〜Ｓ３９の処理を繰り返し行う。
【００６６】
上述のように、本実施形態における無線リソース割当部２４は、各基地局装置２において、隣接するセルから干渉を受ける可能性の低いＲＢ（無線リソース）を開始ポイントに選択するとともに、開始ポイントに選択したＲＢをセルエッジ帯域にする。そして、無線リソース割当部２４は、選択した開始ポイントのＲＢを起点にして、当該ＲＢと周波数方向に隣接する２つのＲＢのうち、隣接するセルから干渉を受ける可能性の低いＲＢを順次追加して、セルエッジ帯域のＲＢ数が、割当数Ｘに達するまでＲＢの追加を行う。
【００６７】
このように、開始ポイント選択部２４４が隣接するセルから干渉を受ける可能性の低いＲＢを開始ポイントに選択することにより、隣接する基地局装置１におけるセルエッジ帯域のＲＢと重複する可能性を低減しつつ、連続したＲＢをセルエッジ帯域にすることができる。また、リソースブロック追加部２４７が、隣接するセルから干渉を受ける可能性の低いＲＢをセルエッジ帯域に順次追加するので、各基地局装置２のセルエッジ帯域のＲＢが重複する可能性を低減しつつ、連続したＲＢをセルエッジ帯域にすることができる。
その結果、セルエッジ端末に対して連続したＲＢを割り当てることが容易になり、セルエッジ端末のスループットを改善することができる。更に、セルエッジ帯域を１つの連続したＲＢにすることにより、非セルエッジ端末に連続したＲＢを割り当てることが容易になるので、非セルエッジ端末のスループットを改善することができ、周波数利用効率を向上させることができる。
【００６８】
また、隣接する基地局装置２から受信する干渉情報を用いているので、隣接する基地局装置２におけるセルエッジ帯域の変更にも動的に対応して、セルエッジ帯域の割当てを行うことができ、移動通信システム全体におけるスループット及び周波数利用効率を向上させることができる。
【００６９】
なお、本実施形態において、開始ポイント選択部２４４は、式（３）を用いて開始ポイント値Ｓ（ｉ）を算出し、開始ポイント値Ｓ（ｉ）が最小のＲＢを開始ポイントに選択する構成を説明したが、これに限らずに、他の処理を用いてＲＢを開始ポイントに選択するようにしてもよい。
図６は、第２実施形態の開始ポイント選択部２４４に対する変形例における処理の概要を示す図である。同図において、横軸はＲＢを示し、縦軸は統計値を示し、統計値が大きいほど隣接するセルから受ける干渉が少ないことを表している。
開始ポイント選択部２４４は、例えば、図６に示すように、予め定められた閾値と、隣接セル干渉情報に含まれる各ＲＢの統計値とを比較し、統計値が閾値以上となるＲＢが連続する区間を検出する。そして、開始ポイント選択部２４４は、検出した区間のうち最もＲＢ数が多い区間のＲＢを開始ポイントに選択するようにしてもよい。すなわち、システム帯域において、セルエッジ端末が隣接するセルから受ける干渉が閾値で表される干渉量より少ないＲＢのうち、連続するＲＢ数が最も多い区間のＲＢを開始ポイントに選択するようにしてもよい。
【００７０】
また、閾値には、予め定められた値に替えて、隣接セル干渉情報に含まれる各ＲＢの統計値の平均値を用いてもよいし、隣接セル干渉情報に含まれる各ＲＢの統計値の累積分布から求められる値（例えば、５０％値、９０％値など）を用いるようにしてもよい。
また、隣接セル干渉情報に含まれる各ＲＢの統計値の累積分布において、セルエッジ帯域に割り当てる割当数ＸのＮＲＢに対する比から閾値を算出するようにしてもよい。例えば、割当数ＸがＮＲＢの３０％である場合、隣接セル干渉情報に含まれる各ＲＢの統計値の累積分布における上位３０％値を閾値とするようにしてもよい。
また、上述の変形例において、連続するＲＢ数が、セルエッジ帯域に割り当てる割当数Ｘを超えている場合、開始ポイントに選択されるＲＢ数を、割当数Ｘ以下になるように閾値を変更するようにしてもよい。
【００７１】
また、第２実施形態の帯域数算出部２４６は、セルエッジ端末と非セルエッジ端末との間で、伝送効率が等しくなるようにセルエッジ帯域に割り当てる割当数Ｘを算出する構成を説明したが、これに限らずに、各端末装置６が今後送信するデータ量を推定し、推定値に基づいて、セルエッジ端末と非セルエッジ端末との間で伝送効率が等しくなるように、セルエッジ帯域に割り当てる割当数Ｘを算出するようにしてもよい。例えば、帯域数算出部２４６は、無線送受信部２２から入力される伝送量情報に基づいて、時間ΔＴ前から現在までの期間において、送信したデータ量ｄｔｒ，ｉを端末装置６（ｉ）ごとに算出し、算出したデータ量に基づいて発生したトラヒックデータ量ｄｇｅｎ，ｉの推定値を端末装置６ごとに算出する。そして、帯域数算出部２４６は、次式（５）を用いて、現在より時間ΔＴ後までの期間における送信データ量の推定値ｄｅｓｔ，ｉを算出する。
【００７２】
【数５】
0005509054.tif 000006
【００７３】
ここで、Ｂｕｆｉは、現在、端末装置６（ｉ）の送信バッファに記憶され、まだ送信されていないデータ量である。帯域数算出部２４６は、式（５）を用いて、各端末装置６の送信データ量の推定値ｄｅｓｔ，ｉを算出し、次式（６）を用いて、セルエッジ帯域に割り当てる割当数Ｘを算出するようにしてもよい。
【００７４】
【数６】
0005509054.tif 000007
【００７５】
これにより、隣接するセル間において、セルエッジ帯域が重複する可能性を低下させつつ、各端末装置６の送信するデータ量に応じてセルエッジ帯域を割り当てることができる。その結果、セルエッジ端末と、非セルエッジ端末との間における無線リソースの分配が、各端末装置６が送信するデータ量に応じたものになり、周波数利用効率を向上させることができる。
【００７６】
また、本実施形態において、統計情報算出部２４３は、干渉情報に含まれる過負荷指標と過干渉指標とのいずれか一方の統計値を算出するようにしたが、過負荷指標と過干渉指標とを合わせて統計値を算出するようにしてもよい。この場合、開始ポイント選択部２４４、及びリソースブロック追加部２４７は、過負荷指標と過干渉指標とを合わせて算出された統計値を用いるようにしてもよい。これにより、セルエッジにおいて、隣接するセルから受ける干渉が生じる可能性をより低減することができる。
【００７７】
なお、上述の第１及び第２実施形態では、固定された基地局装置１（２）と、移動可能な端末装置６とを具備する移動通信システム１００について説明したが、これに限ることなく、端末装置６が固定された無線通信システム、あるいは、基地局装置１（２）を移動可能とした無線通信システムとしてもよい。
また、上述の各実施形態では、１つのＲＢずつセルエッジ帯域に追加する構成を説明したが、これに限ることなく、複数のＲＢを１つのブロックとして、ブロック単位でセルエッジ帯域に追加するようにしてもよい。
【００７８】
また、上述の第１及び第２実施形態における開始ポイントを決定する手順と、ＲＢをセルエッジ帯域に追加する際のＲＢの選択する手順とを組み合わせて用いるようにしてもよい。例えば、開始ポイント選択部１４３が開始ポイントを設定し、リソースブロック追加部２４７が隣接セル干渉情報に基づいてＲＢをセルエッジ帯域に追加するようにしてもよい。
また、上述の第１及び第２実施形態において、無線リソース割当部１４（２４）は、基地局装置１（２）内に設けられている構成を説明したが、これに限ることなく、無線リソース割当部１４（２４）を、基地局装置１（２）に対応して設けられる独立した装置としてもよい。
【００７９】
なお、本発明における無線リソース割当部１４（２４）の機能を実現するためのプログラムをコンピュータ読み取り可能な記録媒体に記録して、この記録媒体に記録されたプログラムをコンピュータシステムに読み込ませ、実行することによりセルエッジ帯域に無線リソース（ＲＢ）を割り当てるようにしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【００８１】
なお、本発明に記載の追加部は実施の形態に記載のリソースブロック追加部１４７（２４７）に対応し、本発明に記載の過負荷情報は実施形態に記載の過負荷指標に対応し、本発明に記載の過干渉情報は実施形態に記載の過干渉指標に対応する。
【符号の説明】
【００８２】
１，２…基地局装置
６…端末装置
７…バックボーンネットワーク
１１，２１…バックボーン送受信部
１２，２２…無線送受信部
１３…アンテナ
１４，２４…無線リソース割当部
２５…干渉情報生成部
１００…移動通信システム
１４１…セルエッジ帯域記憶部
１４２…初期化部
１４３，２４４…開始ポイント選択部
１４４…比較指標算出部
１４５…端末判定部
１４６，２４６…帯域数算出部
１４７，２４７…リソースブロック追加部
１４８…リソースブロック割当部
２４３…統計情報算出部
【図１】
0005509054.tif 000008
【図２】
0005509054.tif 000009
【図３】
0005509054.tif 000010
【図４】
0005509054.tif 000011
【図５】
0005509054.tif 000012
【図６】
0005509054.tif 000013
【図７】
0005509054.tif 000014